(57)【要約】【課題】構成要素の脱落を抑止するのに有利な締結具を提供する。【解決手段】締結具１０は、第１有効径ｄ１の第１ねじ部１２ａを有するボルト１２と、第１有効径ｄ１の第１ねじ穴１４ａを有するナット１４と、呼び長さＬ５の一部に第１有効径ｄ１よりも小さい第２有効径ｄ２の第２ねじ部１６ａを有するねじ１６とを備える。ボルト１２は、第２有効径ｄ２の第２ねじ穴１２ｄと、内径ｄ４の空間部１２ｅとを有する。ここで、空間部１２ｅの内径ｄ４は、第２ねじ穴１２ｄの谷径ｄ３よりも大きい。空間部１２ｅの軸方向の長さＬ３は、第２ねじ部１６ａの長さＬ６よりも長い。第１ねじ部１２ａの先端面１２ｃから空間部１２ｅまでの長さＬ４は、ねじ１６の頭部１６ｃから第２ねじ部１６ａまでの長さＬ７よりも短い。また、ねじ１６の頭部１６ｃの少なくとも一部の外径ｄ６は、第１有効径ｄ１よりも大きい。【選択図】図１
2019167992.tif 000002
【特許請求の範囲】
【請求項１】
第１有効径の第１ねじ部を有するボルトと、
前記第１有効径の第１ねじ穴を有するナットと、
呼び長さの一部に、前記第１有効径よりも小さい第２有効径の第２ねじ部を有するねじと、を備え、
前記ボルトは、前記第１ねじ部の先端面から軸方向に沿って穿設された前記第２有効径の第２ねじ穴と、
前記第２ねじ穴の軸方向の中間位置に形成された、前記第２ねじ穴と同軸となる内径を有する空間部と、を有し、
前記空間部の内径は、前記第２ねじ穴の谷径よりも大きく、
前記空間部の軸方向の長さは、前記第２ねじ部の長さよりも長く、
前記第１ねじ部の先端面から前記空間部までの長さは、前記ねじの頭部から前記第２ねじ部までの長さよりも短く、
前記ねじの前記頭部の少なくとも一部の外径は、前記第１有効径よりも大きい、
締結具。
【請求項２】
前記第１ねじ部の第１ピッチは、前記第２ねじ部の第２ピッチとは異なる、請求項１に記載の締結具。
【請求項３】
前記第１有効径よりも大きい前記ねじの前記頭部の少なくとも一部は、当該頭部とは別体である、請求項１又は２に記載の締結具。
【請求項４】
光源と、
前記光源を支持する筐体と、
前記筐体を外部の被取付部に対して取り付ける請求項１乃至３のいずれか１項に記載の締結具と、
を有する、照明器具。
【請求項５】
光源と、
前記光源を支持する筐体と、
前記筐体に取り付けられる装飾具と、
前記装飾具を前記筐体に対して取り付ける請求項１乃至３のいずれか１項に記載の締結具と、を有し、
前記装飾具は、前記締結具に含まれる前記ボルトの頭部と一体、又は、前記ボルトの頭部に固定されている、
照明器具。
【発明の詳細な説明】
【技術分野】
【０００１】
本開示は、締結具、及び、当該締結具を用いた照明器具に関する。
【背景技術】
【０００２】
従来、ボルトとナットとを組み合わせた締結具では、１つのボルトに対して２つのナットを取り付ける、いわゆるダブルナット式を採用することで、ナットの緩みを抑えることが多い。しかし、ダブルナット式を採用しても、例えば、２つのナットの供回りにより、ナットが緩むこともあり得る。そこで、特許文献１は、２つのナットの供回りを起こしづらくする機構をナットに施した締結具を開示している。
【先行技術文献】
【特許文献】
【０００３】
【特許文献１】特開２０１７−１４１８５３号公報
【発明の概要】
【発明が解決しようとする課題】
【０００４】
特許文献１に開示されている締結具では、一旦、何らかの原因で外側の緩み止めナットが緩んでしまった場合、引き続き内側の締め付けナットも緩み始めるので、最終的にナットがボルトから外れることもあり得る。
【０００５】
本開示は、このような従来技術の有する課題に鑑みてなされたものである。そして、本開示の目的は、構成要素の脱落を抑止するのに有利な締結具及び照明器具を提供することにある。
【課題を解決するための手段】
【０００６】
上記課題を解決するために、本開示の態様に係る締結具は、第１有効径の第１ねじ部を有するボルトと、第１有効径の第１ねじ穴を有するナットと、呼び長さの一部に、第１有効径よりも小さい第２有効径の第２ねじ部を有するねじと、を備え、ボルトは、第１ねじ部の先端面から軸方向に沿って穿設された第２有効径の第２ねじ穴と、第２ねじ穴の軸方向の中間位置に形成された、第２ねじ穴と同軸となる内径を有する空間部と、を有し、空間部の内径は、第２ねじ穴の谷径よりも大きく、空間部の軸方向の長さは、第２ねじ部の長さよりも長く、第１ねじ部の先端面から空間部までの長さは、ねじの頭部から第２ねじ部までの長さよりも短く、ねじの頭部の少なくとも一部の外径は、第１有効径よりも大きい。
【０００７】
また、本開示の態様に係る照明器具は、光源と、光源を支持する筐体と、筐体を外部の被取付部に対して取り付ける上記の締結具と、を有する。
【０００８】
また、本開示の他の態様に係る照明器具は、光源と、光源を支持する筐体と、筐体に取り付けられる装飾具と、装飾具を筐体に対して取り付ける上記の締結具と、を有し、装飾具は、締結具に含まれるボルトの頭部と一体、又は、ボルトの頭部に固定されている。
【発明の効果】
【０００９】
本開示によれば、構成要素の脱落を抑止するのに有利な締結具及び照明器具を提供することができる。
【図面の簡単な説明】
【００１０】
【図１】本開示の一実施形態に係る締結具の組立図である。
【図２】本開示の一実施形態に係る締結具の分解図である。
【図３】本開示の一実施形態に係る締結具の作用を説明する図である。
【図４】本開示の一実施形態に係る照明器具の構成を示す図である。
【図５】本開示の他の実施形態に係る照明器具の構成を示す図である。
【発明を実施するための形態】
【００１１】
以下、各実施形態について図面を参照しつつ詳細に説明する。以下の説明では、鉛直方向をＺ方向と規定する。また、Ｚ方向に対して垂直となる平面内で互いに垂直となる２方向をＸ方向及びＹ方向と規定する。
【００１２】
（締結具）
まず、一実施形態に係る締結具について説明する。以下、本実施形態に係る締結具は、一例として、互いに別体である２つの板体、すなわち、第１板体３０と第２板体３２とを挟み込んで互いに接触固定させるものとする。第１板体３０は、例えば、ある装置又は器具の筐体を構成する金属板である。この場合、第２板体３２は、例えば、筐体に取り付けられる金具の一部である。
【００１３】
図１は、本実施形態に係る締結具１０の組立図である。図２は、締結具１０の分解図である。なお、図１及び図２に示すように、締結具１０は、ここでは、各構成要素がＺ方向に沿って並び、それぞれ水平面に沿って配置された第１板体３０と第２板体３２とを挟み込んで取り付ける場合を想定している。締結具１０は、ボルト１２と、ナット１４と、ねじ１６とを備える。
【００１４】
ボルト１２は、呼び長さをＬ１とする第１ねじ部１２ａと、頭高をＨ１とする頭部１２ｂとを有する六角ボルトである。第１ねじ部１２ａに形成されているねじ山の有効径は、第１有効径ｄ１である。第１ねじ部１２ａに形成されているねじ山のピッチは、第１ピッチＰ１である。
【００１５】
また、ボルト１２は、第１ねじ部１２ａの先端面１２ｃから軸方向に沿って穿設された第２ねじ穴１２ｄを有する。第２ねじ穴１２ｄの深さはＬ２である。なお、図１等に示す例では、深さＬ２は、呼び長さＬ１よりも短いものとしているが、呼び長さＬ１よりも長くてもよい。第２ねじ穴１２ｄに形成されているねじ山の有効径は、第１有効径ｄ１よりも小さい第２有効径ｄ２である。第２ねじ穴１２ｄに形成されているねじ山のピッチは、第２ピッチＰ２である。第２ピッチＰ２は、第１ピッチＰ１とは異なる。
【００１６】
また、ボルト１２は、第２ねじ穴１２ｄの軸方向の中間位置に形成された空間部１２ｅを有する。空間部１２ｅは、第２ねじ穴１２ｄと同軸となる内径ｄ４を有する。内径ｄ４は、第２ねじ穴１２ｄの谷径ｄ３よりも大きい。空間部１２ｅの軸方向の長さはＬ３である。長さＬ３は、深さＬ２よりも小さい。また、第１ねじ部１２ａの先端面１２ｃから空間部１２ｅまでの長さはＬ４である。
【００１７】
ナット１４は、第１有効径ｄ１かつ第１ピッチＰ１の第１ねじ穴１４ａを有する六角ナットである。つまり、ボルト１２の第１ねじ部１２ａには、ナット１４の第１ねじ穴１４ａが係合可能である。また、ナット１４の高さはＨ２である。
【００１８】
ねじ１６は、第２ねじ部１６ａと、頭部１６ｃとを有する丸ねじである。第２ねじ部１６ａは、呼び長さＬ５全体に形成されているのではなく、呼び長さＬ５の一部に形成されている。ここで、呼び長さＬ５の一部とは、例えば、図１等に示すように、ねじ１６の頭部１６ｃとは相対する先端側の一部をいう。ただし、呼び長さＬ５の一部は、ねじ１６の先端面から頭部１６ｃ側に若干寄った位置であってもよい。第２ねじ部１６ａの軸方向の長さはＬ６である。また、呼び長さＬ５の部分のうち、ねじ部が形成されていない軸部１６ｂの軸方向の長さはＬ７である。つまり、長さＬ７は、呼び長さＬ５から長さＬ６を減じた長さに相当する。
【００１９】
第２ねじ部１６ａに形成されているねじ山の有効径は、第２有効径ｄ２である。第２ねじ部１６ａに形成されているねじ山のピッチは、第２ピッチＰ２である。つまり、ねじ１６の第２ねじ部１６ａは、ボルト１２の第２ねじ穴１２ｄに係合可能である。ここで、ボルト１２に形成されている空間部１２ｅの軸方向の長さＬ３は、第２ねじ部１６ａの長さＬ６よりも長い。また、第１ねじ部１２ａの先端面１２ｃから空間部１２ｅまでの長さＬ４は、軸部１６ｂの軸方向の長さＬ７よりも短い。
【００２０】
また、ねじ１６は、頭部１６ｃの少なくとも一部として、頭部１６ｃの外径よりも大きい外径ｄ６の突起部１６ｄを備えてもよい。突起部１６ｄは、例えば座金形状としてもよい。その場合、突起部１６ｄの外径ｄ６は、第１有効径ｄ１よりも大きい。
【００２１】
次に、ボルト１２、ナット１４及びねじ１６を用いた、第１板体３０と第２板体３２とを取り付けについて説明する。この前提として、第１板体３０には、ボルト１２の第１ねじ部１２ａを貫通可能な貫通孔３０ａが形成されているものとする。同様に、第２板体３２には、第１ねじ部１２ａを貫通可能な貫通孔３２ａが形成されているものとする。つまり、貫通孔３０ａ及び貫通孔３２ａの径は、それぞれ第１ねじ部１２ａの呼び径よりも大きい。
【００２２】
まず、ボルト１２の第１ねじ部１２ａが、互いに重ね合わされた第１板体３０及び第２板体３２の上側から、貫通孔３０ａ及び貫通孔３２ａに貫通される。ここで、第１ねじ部１２ａの貫通孔３０ａ及び貫通孔３２ａへの挿入に際しては、図１等に示すように、ばね付き座金２０や座金２２を介して、ボルト１２を第１板体３０及び第２板体３２の取り付けてもよい。なお、ばね付き座金２０の貫通孔２０ａ、及び、座金２２の貫通孔２２ａの径も、それぞれボルト１２の呼び径よりも大きい。
【００２３】
次に、ナット１４の第１ねじ穴１４ａが、第１板体３０及び第２板体３２の下側から、貫通孔３０ａ及び貫通孔３２ａから突出しているボルト１２の第１ねじ部１２ａに係合されることで、ナット１４がボルト１２に取り付けられる。ここで、ばね付き座金２０の厚さをＨ３、座金２２の厚さをＨ４、第１板体３０の厚さをＨ５、及び、第２板体３２の厚さをＨ６とする。また、ボルト１２にナット１４が締め付けられた状態では、ボルト１２における第１ねじ部１２ａの根元位置から、Ｚ方向に沿って、ナット１４の最外面までの長さをＨ７とする。このとき、長さＬ７は、ボルト１２の呼び長さＬ１よりも長い。
【００２４】
次に、ねじ１６の第２ねじ部１６ａが、第１板体３０及び第２板体３２の下側から、ボルト１２の第１ねじ部１２ａに形成されている第２ねじ穴１２ｄに係合されることで、ねじ１６がボルト１２及びナット１４に取り付けられる。この係合時には、まず、ねじ１６の第２ねじ部１６ａは、空間部１２ｅよりも先端面１２ｃ側にある第２ねじ穴１２ｄに係合しながら、空間部１２ｅに向けて進行する。第２ねじ部１６ａは、空間部１２ｅに到達すると、第２ねじ部１６ａの長さＬ６が空間部１２ｅの長さＬ３よりも短いので、一旦空回りする。しかし、第２ねじ部１６ａは、そのまま上方に進行しつつ回転し、次に、空間部１２ｅよりも頭部１２ｂ側にある第２ねじ穴１２ｄに係合する。最終的に、ねじ１６は、突起部１６ｄがナット１４に接触し、図１に示すような状態で、締結具１０による締結が完了する。
【００２５】
次に、締結具１０を構成する各構成要素の寸法例について説明する。この前提として、第１板体３０の厚さＨ５及び第２板体３２の厚さＨ６は、それぞれ１〜２ｍｍ程度であるものとする。
【００２６】
この場合、ボルト１２は、ＪＩＳ規格及びＩＳＯ規格に準拠するＭ１０サイズに合わせた寸法としてもよい。つまり、第１ねじ部１２ａの第１ピッチＰ１は、Ｍ１０サイズで規定されたピッチとなる。以下、ボルト１２がＭ１０サイズを基準としたものであると想定する。このとき、ボルト１２の第２ねじ穴１２ｄは、Ｍ４サイズで形成されてもよい。つまり、第２ねじ穴１２ｄの第２ピッチＰ２は、Ｍ４サイズで規定されたピッチとなる。空間部１２ｅに関しては、例えば、内径ｄ４を５ｍｍ程度、長さＬ３を５ｍｍ程度とそれぞれ決定してもよい。また、第１ねじ部１２ａの先端面１２ｃから空間部１２ｅまでの長さＬ４を例えば３ｍｍ程度としてもよい。
【００２７】
ナット１４、又は、ばね付き座金２０若しくは座金２２は、それぞれ、ボルト１２のサイズであるＭ１０サイズに適合するものであってもよい。
【００２８】
ねじ１６は、ボルト１２の第２ねじ穴１２ｄのサイズであるＭ４サイズに合わせた寸法としてもよい。例えば、第２ねじ部１６ａの長さＬ６を４ｍｍ程度、軸部１６ｂの長さＬ７を８．５ｍｍ程度としてもよい。
【００２９】
次に、締結具１０の緩み時の作用について説明する。図３は、締結具１０の緩み時の作用を説明するための図である。図３（ａ）は、緩み時の第１段階を示す図である。図３（ｂ）は、第１段階に続く、緩み時の第２段階を示す図である。
【００３０】
例えば、第１板体３０又は第２板体３２から伝達した振動等に起因して、締結具１０に緩みが生じる場合、締結具１０の構造から、最初に緩み始めるのは、ねじ１６である。ここで、ねじ１６における第２ねじ部１６ａの第２ピッチＰ２は、ボルト１２における第１ねじ部１２ａの第１ピッチＰ１とは異なる。つまり、締結具１０に与えられている振動が、ねじ１６を緩ませる原因となり得るものである場合には、その振動数は、第２ピッチＰ２のねじ類を緩ませるのに適当なものである。したがって、このとき、第２ピッチＰ２とは異なる第１ピッチＰ１のねじ類であるボルト１２は、ねじ１６とは異なり緩みづらい状態にある。
【００３１】
そのため、緩み時の第１段階では、図３（ａ）に示すように、ねじ１６は、細線の矢印で示すように回転しながら、白抜きの矢印で示すように下方に向けて徐々に緩み、第２ねじ部１６ａは、いずれ空間部１２ｅに到達する。ここで、上記のとおり、空間部１２ｅの内径ｄ４は、第２ねじ穴１２ｄの谷径ｄ３よりも大きい。また、空間部１２ｅの長さＬ３は、第２ねじ部１６ａの長さＬ６よりも長い。そのため、第２ねじ部１６ａは、空間部１２ｅに到達すると、空間部１２ｅに収容された状態となって空回りを引き起こす。結果として、第２ねじ部１６ａは、第１ねじ部１２ａの先端面１２ｃ側の第２ねじ穴１２ｄに引っ掛かり、それ以上、下方に進行することが阻害される。すなわち、ねじ１６は、ボルト１２から抜けづらくなり、その状態でボルト１２に保持される。
【００３２】
その後、第１ピッチＰ１のねじ類を緩ませるのに適当な振動数の振動が締結具１０に与えられたとする。この場合、緩み時の第２段階として、図３（ｂ）に示すように、ボルト１２に対して、ナット１４が、細線の矢印で示すように回転しながら、白抜きの矢印で示すように下方に向けて徐々に緩み始める。このとき、ボルト１２とナット１４とによる第１板体３０及び第２板体３２の挟み込みが解除されるので、第１板体３０及び第２板体３２、並びに、ばね付き座金２０及び座金２２は、ナット１４の移動に合わせて下方へ移動する。ここで、ねじ１６は、第１有効径ｄ１よりも大きい外径ｄ６を有する突起部１６ｄを備えている。つまり、ねじ１６は、ナット１４の第１ねじ穴１４ａを貫通することができないので、ナット１４は、いずれ、ねじ１６の一部に当接し、それ以上、下方に進行することが阻害される。すなわち、ナット１４は、その状態でねじ１６に保持される。
【００３３】
次に、締結具１０の効果について説明する。
【００３４】
まず、本実施形態に係る締結具１０は、第１有効径ｄ１の第１ねじ部１２ａを有するボルト１２と、第１有効径ｄ１の第１ねじ穴１４ａを有するナット１４とを備える。また、締結具１０は、呼び長さＬ５の一部に、第１有効径ｄ１よりも小さい第２有効径ｄ２の第２ねじ部１６ａを有するねじ１６を備える。ボルト１２は、第１ねじ部１２ａの先端面１２ｃから軸方向に沿って穿設された第２有効径ｄ２の第２ねじ穴１２ｄと、第２ねじ穴１２ｄの軸方向の中間位置に形成された、第２ねじ穴１２ｄと同軸となる内径ｄ４を有する空間部１２ｅとを有する。ここで、空間部１２ｅの内径ｄ４は、第２ねじ穴１２ｄの谷径ｄ３よりも大きい。空間部１２ｅの軸方向の長さＬ３は、第２ねじ部１６ａの長さＬ６よりも長い。第１ねじ部１２ａの先端面１２ｃから空間部１２ｅまでの長さＬ４は、ねじ１６の頭部１６ｃから第２ねじ部１６ａまでの長さＬ７よりも短い。また、ねじ１６の頭部１６ｃの少なくとも一部の外径ｄ６は、第１有効径ｄ１よりも大きい。
【００３５】
このような締結具１０によれば、ボルト１２に締結されているねじ１６又はナット１４が緩んだとしても、ねじ１６及びナット１４は、上記のとおり、特定の位置において、それ以上、下方に進行することが阻害される。したがって、締結具１０に含まれるいずれかの構成要素が脱落することが抑止される。なお、ねじ１６又はナット１４が緩んだ状態で維持されている締結具１０は、その後、定期点検等で発見した作業者が再度締結し直すことにより、容易に締結状態を回復させることができる。
【００３６】
また、締結具１０によれば、構成要素同士を噛み合わせるなど、構成要素の一部を変形させることがない。したがって、一度締結に用いた締結具１０を、その後、取り外して別の締結に用いるような再利用を容易に行うことができる。さらに、締結具１０によれば、ナット類としてはナット１４のみを用いるので、軸方向の寸法を短くすることができ、全体としてコンパクトな構成とし得る。
【００３７】
また、締結具１０では、第１ねじ部１２ａの第１ピッチＰ１は、第２ねじ部１６ａの第２ピッチＰ２とは異なるものとしてもよい。
【００３８】
このような締結具１０によれば、締結具１０が受けた一度の振動で、ねじ１６とナット１４とが同時に緩むことを抑えることができる。したがって、ねじ１６が緩んだ後のナット１４の緩みの開始タイミングを遅らせることができるので、結果として、第１板体３０と第２板体３２との締結固定が解除されるタイミングを遅らせることができる。
【００３９】
また、締結具１０では、第１有効径ｄ１よりも大きいねじ１６の頭部１６ｃの少なくとも一部は、当該頭部１６ｃとは別体であるものとしてもよい。
【００４０】
ここで、上記説明では、ねじ１６は、頭部１６ｃの少なくとも一部として、第１有効径ｄ１よりも大きい外径ｄ６の突起部１６ｄを備えるものとした。これに対して、ねじ１６は、頭部１６ｃに突起部１６ｄを備えない構成とすることもできる。この場合、締結具１０は、頭部１６ｃとは別体として、突起部１６ｄと同等の形状を有する座金を備え、突起部１６ｄのないねじ１６を、当該座金を介してボルト１２に締結するものとしてもよい。
【００４１】
このような締結具１０によれば、ねじ１６の形状を、より汎用品のねじに近い形状とすることができるので、例えば、製作コストを抑える点で有利となる。
【００４２】
なお、締結具１０のサイズによっては、ねじ１６の頭部１６ｃ自体の外径が、第１有効径ｄ１よりも大きい場合もあり得る。この場合、頭部１６ｃは、その一部に突起部１６ｄを設ける必要はなく、また、突起部１６ｄに代わる座金等の別体を用いる必要もない。
【００４３】
（照明器具）
次に、一実施形態に係る照明器具について説明する。図４は、本実施形態に係る照明器具１００の構成を示す断面図である。なお、図４では、照明器具１００の一部のみを例示している。照明器具１００は、例えば、天井埋込型の照明器具である。
【００４４】
照明器具１００を設置する天井３００は、例えば、建物等の構造物や、鉄道等の輸送車両内にある天井である。天井３００は、構造体３０２と、天井材３０４とを含む。構造体３０２は、厚さＷを有する構造物の一部であり、通常、天井３００に照明器具１００を取り付けた状態では、室内側からは視認されない。天井材３０４は、照明領域に面する外面３０４ｂを化粧面とする平板である。天井材３０４は、構造体３０２との間に一定の間隔を持って設置される。これにより、構造体３０２と天井材３０４との間には、照明器具１００の少なくとも一部を収納可能な内部空間Ｓが形成される。また、天井材３０４は、照明器具１００を照明領域側から挿入可能とする挿入穴３０４ａを有する。
【００４５】
照明器具１００は、光源１０２と、筐体１０４と、ソケット１０６と、ソケット台１０８と、締結具１０とを備える。
【００４６】
光源１０２は、例えば、直管形のＬＥＤ（発光ダイオード）ランプである。筐体１０４は、光源１０２を支持する。また、筐体１０４は、照明器具１００の各構成要素を内部に収納する。筐体１０４は、例えば金属板を組み合わせて構成され、照明領域に向かう光照射面が開放されている。なお、筐体１０４の光照射面には、例えば、乳白色の樹脂からなるパネル１１２が設置されている。筐体１０４の上板１０４ａは、構造体３０２の表面３０２ａに対向する。また、筐体１０４は、光照射面の端部に、フランジ部１０４ｂを有する。照明器具１００が天井３００に取り付けられた状態では、フランジ部１０４ｂは、天井材３０４の外面３０４ｂの一部とＺ方向で重なる。ソケット１０６は、光源１０２を保持する。ソケット台１０８は、ソケット１０６を支持し、ソケット１０６を介して不図示の電源から光源１０２に電力を供給する。
【００４７】
締結具１０は、上記実施形態で説明したものであり、本実施形態では、外部の被取付部としての構造体３０２に対して筐体１０４を取り付けるために用いられる。締結具１０を用いるに際して、天井３００の構造体３０２には、予め、ボルト１２の第１ねじ部１２ａを貫通させるための貫通穴３０２ｂが形成されている。ここで、構造体３０２は、Ｚ方向に厚みＷを有するので、ボルト１２の第１ねじ部１２ａの呼び長さＬ１は、予め厚みＷに対応させた長さに規定される。つまり、照明器具１００では、締結具１０の実施形態でいう第１板体３０及び第２板体３２に代えて、構造体３０２、筐体１０４の上板１０４ａ、及び、締結部位を補強するための金属製の補強板１１０が、締結具１０により挟み込まれて締結固定されることになる。
【００４８】
このような照明器具１００によれば、上記説明した締結具１０を用いて天井３００に取り付けられるので、例えば、締結具１０が構造体３０２側から振動を受けて緩んだとしても、締結具１０の構成要素が脱落することが抑止される。結果として、照明器具１００の筐体１０４が締結具１０から外れづらくなるため、照明器具１００の落下を抑止することができる。
【００４９】
次に、他の実施形態に係る照明器具について説明する。図５は、本実施形態に係る照明器具２００の構成を示す断面図である。図５（ａ）は、照明器具２００の全体構成を示す図である。図５（ｂ）は、照明器具２００に含まれる締結具２１０の拡大図である。照明器具２００は、例えば、室内の壁部に設置される、装飾が施された照明器具である。
【００５０】
照明器具２００は、光源２０２と、筐体２０４と、支持アーム２０６と、カバー２０８と、締結具２１０とを備える。
【００５１】
光源２０２は、例えばＬＥＤ電球である。筐体２０４は、装飾が施されたフード型を有し、光の照射方向が下方となるように光源１０２を支持する。支持アーム２０６は、例えば金属製の管で構成され、室内の壁部等に取り付けられる。カバー２０８は、例えばガラス製であり、筐体２０４に支持されて、光源２０２を保護する。
【００５２】
締結具２１０は、上記実施形態で説明した締結具１０を変形したものであり、本実施形態では、筐体２０４に装飾具２１２を取り付けるために用いられる。締結具２１０は、装飾具２１２と、ナット１４と、ねじ１６とを備える。つまり、ナット１４及びねじ１６は、上記の締結具１０に含まれるものと同様である。そして、締結具２１０では、ボルト１２の頭部１２ｂが装飾具２１２となる。つまり、装飾具２１２は、締結具１０でいうボルト１２の頭部１２ｂと一体となっている。
【００５３】
装飾具２１２は、例えば、図５に示すように、照明器具２００の頭部に設置される。装飾具２１２は、第１ねじ部２１２ａと、第２ねじ穴２１２ｄと、空間部２１２ｅとを備える。第１ねじ部２１２ａは、締結具１０のボルト１２が有する第１ねじ部１２ａに相当する。第２ねじ穴２１２ｄは、締結具１０のボルト１２が有する第２ねじ穴１２ｄに相当する。空間部２１２ｅは、締結具１０のボルト１２が有する空間部１２ｅに相当する。そして、照明器具２００では、上記の締結具１０の実施形態でいう第１板体３０及び第２板体３２に代えて、筐体２０４の上板２０４ａが締結具２１０により挟み込まれて、装飾具２１２が上板２０４ａに締結固定されることになる。
【００５４】
このような照明器具２００によれば、装飾具２１２が締結具２１０を用いて筐体２０４に取り付けられるので、例えば、締結具２１０が筐体２０４側から振動を受けて緩んだとしても、締結具２１０の構成要素が脱落することが抑止される。結果として、照明器具２００の装飾具２１２が締結具２１０から外れづらくなるため、装飾具２１２の落下を抑止することができる。
【００５５】
なお、上記説明では、装飾具２１２が、締結具１０でいうボルト１２の頭部１２ｂと一体になっている形状又は構成であるものとした。しかし、装飾具２１２は、ボルト１２の頭部１２ｂと一体ではなく、ボルト１２の頭部１２ｂと別体であり、頭部１２ｂに、装飾具２１２の本体が接着等により固定されているものとしてもよい。
【００５６】
以上、好ましい実施形態について説明したが、本実施形態は、これ限定されず、その要旨の範囲内で種々の変形及び変更が可能である。
【符号の説明】
【００５７】
１０，２１０    締結具
１２    ボルト
１２ａ  第１ねじ部
１２ｃ  先端面
１２ｄ  第２ねじ穴
１２ｅ  空間部
１４    ナット
１４ａ  第１ねじ穴
１６    ねじ
１６ａ  第２ねじ部
１６ｃ  頭部
１６ｄ  突起部
１００，２００  照明器具
１０２，２０２  光源
１０４，２０４  筐体
２１２  装飾具
ｄ１    第１有効径
ｄ２    第２有効径
ｄ３    第２ねじ穴の谷径
ｄ４    空間部の内径
ｄ６    突起部の外径
Ｌ４    第１ねじ部の先端面から空間部までの長さ
Ｌ５    ねじの呼び長さ
Ｌ６    第２ねじ部の長さ
Ｌ７    ねじの頭部から第２ねじ部までの長さ
Ｐ１    第１ピッチ
Ｐ２    第２ピッチ
【図１】
2019167992.tif 000003
【図２】
2019167992.tif 000004
【図３】
2019167992.tif 000005
【図４】
2019167992.tif 000006
【図５】
2019167992.tif 000007